(57)【特許請求の範囲】
【請求項１】
開口部を備えた断熱構造の容器体と、該容器体の開口部を開閉可能な断熱構造の蓋体と、該容器体を吊上可能な提手体とからなり、上記容器体に上記提手体を軸部により起立倒伏回動自在に設け、上記蓋体に係止部を形成し、該提手体に該係止部に係止して蓋体の離脱を阻止可能な阻止部を形成すると共に該提手体の倒伏時に該係止部を釈放して蓋体の離脱を許容可能な釈放部を形成し、かつ、上記容器体の両側部にそれぞれ軸部を形成し、該軸部に上記提手体の両端部をそれぞれ起立倒伏回動自在に枢着し、該提手体の両端部に上記係止部に係止可能な弧状係止面をもつ阻止部を形成すると共に該係止部を釈放可能な切欠口をもつ釈放部を形成し、さらに、上記係止部に上記弧状係止面に摺接係止可能な係止凸部を形成すると共に上記弧状係止面に該係止凸部が嵌入可能な嵌入凹部を形成してなることを特徴とするクーラーボックス。
【発明の詳細な説明】
【０００１】
【発明の属する技術分野】
本発明は例えばジュースのペットボトルや缶ビールを収納して携帯する際に用いられるレジャー用のクーラーボックスに関するものである。
【０００２】
【従来の技術】
従来この種のクーラーボックスとして、例えば、開口部を備えた断熱構造の容器体と、容器体の開口部を開閉可能な断熱構造の蓋体と、容器体を吊上可能な提手体とからなる構造のものが知られている。
【０００３】
【発明が解決しようとする課題】
しかしながらこれら従来構造の場合、蓋体の開閉構造は、ヒンジ機構及び尾錠からなり、蓋体の開閉時において、尾錠の操作及び蓋体の回動操作を必要とするので、蓋体の開閉に厄介なことがあると共に蓋体を容器体から完全に取り外すことができず、収納物の取出及び詰入に不便なこともあり、又、容器体及び蓋体の掃除にも不便なことがあるという不都合を有している。
【０００４】
【課題を解決するための手段】
本発明はこれらの不都合を解決することを目的とするもので、本発明のうちで、請求項１記載の発明は、開口部を備えた断熱構造の容器体と、該容器体の開口部を開閉可能な断熱構造の蓋体と、該容器体を吊上可能な提手体とからなり、上記容器体に上記提手体を軸部により起立倒伏回動自在に設け、上記蓋体に係止部を形成し、該提手体に該係止部に係止して蓋体の離脱を阻止可能な阻止部を形成すると共に該提手体の倒伏時に該係止部を釈放して蓋体の離脱を許容可能な釈放部を形成し、かつ、上記容器体の両側部にそれぞれ軸部を形成し、該軸部に上記提手体の両端部をそれぞれ起立倒伏回動自在に枢着し、該提手体の両端部に上記係止部に係止可能な弧状係止面をもつ阻止部を形成すると共に該係止部を釈放可能な切欠口をもつ釈放部を形成し、さらに、上記係止部に上記弧状係止面に摺接係止可能な係止凸部を形成すると共に上記弧状係止面に該係止凸部が嵌入可能な嵌入凹部を形成してなることを特徴とするクーラーボックスにある。
【０００５】
【発明の実施の形態】
図１乃至図８は本発明の実施の形態例を示し、１は容器体であって、この場合、合成樹脂製の外容器体１ａ及び合成樹脂製の内容器体１ｂを発泡品からなる断熱材Ｄを内蔵して組み立てられ、上部に開口部２を備えた断熱構造に形成されている。
【０００６】
３は蓋体であって、この場合、合成樹脂製の外蓋体３ａ及び合成樹脂製の内蓋体３ｂを発泡品からなる断熱材Ｄを内蔵して組み立てられ、内蓋体３ｂにパッキン材４を配置し、容器体１の開口部２を開閉可能な大きさにして断熱構造に形成されている。
【０００７】
５は提手体であって、合成樹脂製にして容器体１を吊上可能な湾曲形状に形成され、上記容器体１の両側部にそれぞれ筒状の軸部６・６を一体形成し、提手体５の両端部に軸筒部５ａを形成し、軸部６・６に軸筒部５ａ・５ａを遊嵌挿し、提手体５を図５の垂直位置と図７の水平位置との間で起立倒伏回動自在に枢着して構成している。
【０００８】
７は係止部であって、この場合、半円弧状にして蓋体３の両側部に一体に形成されている。
【０００９】
８は阻止部、９は釈放部であって、この場合、図５乃至図８の如く、提手体５の両端部に形成され、阻止部８は軸筒部５ａ・５ａに円盤状体５ｂを形成すると共に環帯状体５ｃを形成し、円盤状体５ｂの内面を上記係止部７に係止可能な弧状係止面８ａに形成し、釈放部９は、図８の如く、上記環帯状体５ｃの３６０度範囲中の略９０度の範囲を切欠した形状にして提手体５を起立状態から一方に９０度倒伏させた状態で上に向く位置に形成された切欠口９ａからなり、しかして、図５、図６の如く、阻止部８は起立状態及び他方側への倒伏時には係止部７に係止して蓋体３の離脱を阻止可能に形成され、又、図７、図８の如く、釈放部９は提手体５の一方側への倒伏時に切欠口９ａが上向きとなって係止部７を釈放して蓋体３の離脱を許容可能に形成されている。
【００１０】
又、この場合、容器体１の内容器体１ｂの両側部に環状帯体５ｃの外周面を覆う凹弧状のカバー部１ｃを一体形成し、容器体１の外容器体１ａの両側部に円板状体５ｂの外面を覆う半円弧状の保持壁体１ｄを形成し、保持壁体１ｄに軸部６が乾燥される貫通孔１ｅを形成し、軸部６の内穴にキャップピン１０を挿通固定して構成している。
【００１１】
又、この場合、上記係止部７の円鍔部７ａに上記弧状係止面８ａに摺接係止可能な係止凸部７ｂを形成すると共に上記弧状係止面８ａに係止凸部７ｂが嵌入可能な嵌入凹部８ｂを形成し、しかして、図６の如く、係止凸部７ｂと嵌入凹部８ｂとの嵌合により提手体５の起立状態を保持することができ、又、図８の如く、提手体５の倒伏動作時に係止凸部７ｂは嵌入凹部８ｂから弧状係止面８ａへと乗り上げ移動するように構成している。
【００１２】
この実施の形態例は上記構成であるから、提手体５は容器体１に軸部６により起立倒伏回動自在に設けられ、蓋体３に係止部７が形成され、提手体５に係止部７に係止して蓋体３の離脱を阻止可能な阻止部８が形成されていると共に提手体５の倒伏時に係止部７を釈放して蓋体３の離脱を許容可能な釈放部９が形成されているので、図１、図５、図６の如く、容器体１の携帯時には提手体５は起立状態となり、この提手体５の起立状態では蓋体３の離脱が阻止され、蓋体３の不測の離脱が防止され、又、図２、図７、図８の如く、蓋体３の開口時に提手体５を倒伏させ、この提手体５の一方側への略水平位置の倒伏状態において、蓋体３を上方に持ち上げて離脱させることができ、したがって、蓋体３の容器体１に対するヒンジ機構や尾錠を無くすことができ、開蓋構造を簡素化することができると共に製作コストを低減することができ、しかも、提手体５の起立倒伏により蓋体の開閉を行うことができ、蓋体３の開閉を容易に行うことができ、かつ、蓋体３を容器体１から完全に取り外すことができ、収納物の取出及び詰入が容易となり、容器体１及び蓋体３の掃除も容易に行うことができ、使用の利便性を高めることができる。
【００１３】
又、この場合、上記容器体１の両側部にそれぞれ軸部６・６を形成し、軸部６・６に上記提手体５の両端部をそれぞれ起立倒伏回動自在に枢着し、提手体５の両端部に上記係止部７に係止可能な弧状係止面８ａをもつ阻止部８を形成すると共に係止部７を釈放可能な切欠口９ａをもつ釈放部９を形成してなるから、阻止部８及び釈放部９からなる開蓋構造を簡素化することができると共に製作コストを低減することができ、又、この場合、上記係止部７に上記弧状係止面８ａに摺接係止可能な係止凸部７ｂを形成すると共に上記弧状係止面８ａに係止凸部７ｂが嵌入可能な嵌入凹部８ｂを形成しているから、図６の如く、係止凸部７ｂと嵌入凹部８ｂとの嵌合により提手体５の起立状態を保持することができ、それだけ蓋体１の持ち上げ離脱及び容器体１の開口部２への装着を容易に行うことができると共に提手体５の倒伏動作時に係止凸部７ｂは嵌入凹部８ｂから弧状係止面８ａへと乗り上げ移動し、提手体５の倒伏動作を円滑に行うことができる。
【００１４】
尚、本発明は上記実施の形態例のものに限られず、例えば、容器体１、蓋体２、提手体５の形態や構造並びに係止部７、阻止部８、釈放部９からなる開蓋構造は適宜変更して設計される。
【００１５】
【発明の効果】
本発明は上述の如く、請求項１記載の発明にあっては、提手体は容器体に軸部により起立倒伏回動自在に設けられ、蓋体に係止部が形成され、提手体に係止部に係止して蓋体の離脱を阻止可能な阻止部が形成されていると共に提手体の倒伏時に係止部を釈放して蓋体の離脱を許容可能な釈放部が形成されているので、容器体の携帯時には提手体は起立状態となり、この提手体の起立状態では蓋体の離脱が阻止され、蓋体の不測の離脱が防止され、又、蓋体の開口時に提手体を倒伏させ、この提手体の倒伏状態において、蓋体を上方に持ち上げて離脱させることができ、したがって、蓋体の容器体に対するヒンジ機構や尾錠を無くすことができ、開蓋構造を簡素化することができると共に製作コストを低減することができ、しかも、提手体の起立倒伏により蓋体の開閉を行うことができ、蓋体の開閉を容易に行うことができ、かつ、蓋体を容器体から完全に取り外すことができ、収納物の取出及び詰入が容易となり、容器体及び蓋体の掃除も容易に行うことができ、使用の利便性を高めることができ、かつ、上記容器体の両側部にそれぞれ軸部を形成し、軸部に上記提手体の両端部をそれぞれ起立倒伏回動自在に枢着し、提手体の両端部に上記係止部に係止可能な弧状係止面をもつ阻止部を形成すると共に係止部を釈放可能な切欠口をもつ釈放部を形成してなるから、阻止部及び釈放部からなる開蓋構造を簡素化することができると共に製作コストを低減することができ、さらに、上記係止部に上記弧状係止面に摺接係止可能な係止凸部を形成すると共に上記弧状係止面に係止凸部が嵌入可能な嵌入凹部を形成しているから、係止凸部と嵌入凹部との嵌合により提手体の起立状態を保持することができ、それだけ蓋体の持ち上げ離脱及び容器体の開口部への装着を容易に行うことができる。
【００１６】
以上の如く、所期の目的を充分達成することができる。
【図面の簡単な説明】
【図１】  本発明の実施の形態例の全体斜視図である。
【図２】  本発明の実施の形態例の開蓋状態の全体斜視図である。
【図３】  本発明の実施の形態例の部分側面図である。
【図４】  本発明の実施の形態例の部分縦断面図である。
【図５】  本発明の実施の形態例の部分斜視図である。
【図６】  本発明の実施の形態例の部分側断面図である。
【図７】  本発明の実施の形態例の部分斜視図である。
【図８】  本発明の実施の形態例の部分側断面図である。
【符号の説明】
１  容器体
２  開口部
３  蓋体
５  提手体
６  軸部
７  係止部
７ｂ  係止凸部
８  阻止部
８ａ  弧状係止面
８ｂ  嵌入凹部
９  釈放部
９ａ  切欠口
【図１】
0004565406.tif 000002
【図２】
0004565406.tif 000003
【図３】
0004565406.tif 000004
【図４】
0004565406.tif 000005
【図５】
0004565406.tif 000006
【図６】
0004565406.tif 000007
【図７】
0004565406.tif 000008
【図８】
0004565406.tif 000009